(57)【特許請求の範囲】
【請求項１】
左右に離間する一対の脚部材の間に上下位置調整機構を介して座を支持させるようにした椅子であって、
前記上下位置調整機構は、前記一対の脚部材に対して前記座の前部を複数の上下位置に固定する第１固定部と、前記一対の脚部材に対して前記座の後部を複数の上下位置に固定する第２固定部と、を備え、
前記第１固定部及び前記第２固定部の少なくとも一方は、前記座の前部または前記座の後部を固定する上下位置に応じて、前記第１固定部と前記第２固定部との前後方向における相互間隔を変化させる前後位置調整機構を有し、
該前後位置調整機構は、前記一対の脚部材の間に架設され、調整状態においては前記座の前後方向の相対移動を許容する一方、固定状態においては前後方向の相対移動を阻止するように前記座の下面を支持する連結材を有することを特徴とする椅子。
【請求項２】
前記連結材は、前記座の下面かつ前後方向に延設されるとともに前記座に固定可能な固定部材を有することを特徴とする請求項１に記載の椅子。
【請求項３】
前記固定部材は、前後方向に長手をなし上下方向に開口する長孔が形成されており、該長孔に挿入される締結部材により前記座に締結固定されることを特徴とする請求項２に記載の椅子。
【請求項４】
前記固定部材は、広幅面が上下方向を向く板状をなし、
前記座は、前記固定部材に対して前後方向に摺動可能に設けられた摺動部を備えていることを特徴とする請求項２または３に記載の椅子。
【請求項５】
前記連結材は、調整状態において前記座に対して摺動する摺動面を有することを特徴とする請求項１から４のいずれか一項に記載の椅子。
【請求項６】
前記脚部材は、前後方向に離間された一対の脚杆を有し、前記脚杆の少なくとも一方が上下方向に対して前後方向に傾斜するように延設されており、
前記一対の脚杆のうち、一方の脚杆に前記第１固定部が設けられ、他方の脚杆に前記第２固定部が設けられていることを特徴とする請求項１から５のいずれか一項に記載の椅子。
【請求項７】
請求項１から６のいずれか一項に記載の椅子の座の位置を調整する椅子の調整方法であって、調整状態において、前記第１固定部及び前記第２固定部の所定の位置になるように前記座を上下方向に移動させるとともに、前記連結材に対して前記座を前後方向に相対移動させた後に、
前記第１固定部及び前記第２固定部の少なくとも一方において前記連結材により前記座の前後方向の移動を阻止するように座の下面を支持することを特徴とする椅子の調整方法。
【発明の詳細な説明】
【技術分野】
【０００１】
本発明は、座の位置を調整可能な椅子、及び椅子の調整方法に関するものである。
【背景技術】
【０００２】
児童用の椅子においては、児童の成長に合わせて座の高さ（上下位置）を調整可能にしているものがある。例えば、特許文献１には、椅子の幅方向に一対設けられる、脚部材としての支持枠を連結材により連結することで脚体が構成され、座が支持枠間に架設されることによって脚体に支持された椅子が開示されている。この特許文献１の椅子では、支持枠には上下方向に複数の座の取付孔が形成されており、これら取付孔の上下位置を選択することで、脚体に対する座の位置を調整することが可能となっている。
【０００３】
ところで、座の高さを調整可能な椅子では、脚部材を構成する脚杆が、側面視において上下方向に対して前後方向に傾斜するように延設しているものがある。例えば、特許文献２には、前脚が後方側上方へ傾斜しており、後脚はわずかに前方側上方へ傾斜した構成の椅子が開示されている。また、特許文献３には、側面側の枠体を構成する前脚が後方側上方へ傾斜しており、後脚はほぼ垂直方向に延びた構成の椅子が開示されている。
【０００４】
ここで、特許文献２、３に記載された椅子においては、座の前後一方を基準として、他方に脚体に対しての座の前後位置調整用の機構を備えている。この前後位置調整用の機構として、特許文献２の椅子では、座の側面の前後方向に脚体との連結用の長孔が形成されており、この長孔が形成されていることによって座の前後方向の位置を調整して座を脚体に固定できるようになっている。また、前後位置調整用の機構として、特許文献３の椅子では、座の側面において前後方向に複数の後雌ねじ孔が形成されており、この後雌ねじ孔が形成されていることにより座の前後方向の位置を調整して座を脚体に固定できるように構成されている。
【先行技術文献】
【特許文献】
【０００５】
【特許文献１】実開昭６１−９０４４４号公報
【特許文献２】実開平６−８４９４７号公報
【特許文献３】特開平９−２９４６４５号公報
【発明の概要】
【発明が解決しようとする課題】
【０００６】
ところで、児童用の椅子には、児童の成長に合わせて、座の高さ（上下位置）のみではなく、座の前後方向の位置も調整できることが求められる。しかしながら、特許文献１に記載の椅子では、座の前後方向の位置を調整することはできなかった。一方、特許文献２、３に記載された椅子では、座の高さを調整するとともに、座の前後方向の位置も変えることが可能であり、使用者がより正しい姿勢で着座することができる。
【０００７】
しかしながら、特許文献２、３に記載された椅子では、座の前後位置調整用の機構が脚体の幅方向端部に設けられているため、側面側から前後位置調整用の機構である長孔や後雌ねじ孔が見えやすくなっており、椅子のデザイン性が損なわれるという課題があった。また、特許文献２のような長孔が設けられている場合、着座者の荷重を支持する部位が、座を摺動可能に支持する部位でもあるため、支持強度が低下する懸念があった。
【０００８】
本発明は、上記の課題に鑑みてなされたものであって、脚体に対する座の支持強度が高く、かつデザイン性が良好な椅子、及び椅子の調整方法を提供することを目的とする。
【課題を解決するための手段】
【０００９】
上述した課題を解決し、目的を達成するために、本発明の一態様に係る椅子は、左右に離間する一対の脚部材の間に上下位置調整機構を介して座を支持させるようにした椅子であって、前記上下位置調整機構は、前記一対の脚部材に対して前記座の前部を複数の上下位置に固定する第１固定部と、前記一対の脚部材に対して前記座の後部を複数の上下位置に固定する第２固定部と、を備え、前記第１固定部及び前記第２固定部の少なくとも一方は、前記座の前部または前記座の後部を固定する上下位置に応じて、前記第１固定部と前記第２固定部との前後方向における相互間隔を変化させる前後位置調整機構を有し、該前後位置調整機構は、前記一対の脚部材の間に架設され、調整状態においては前記座の前後方向の相対移動を許容する一方、固定状態においては前後方向の相対移動を阻止するように前記座の下面を支持する連結材を有することを特徴とする。
【００１０】
また、本発明の一態様に係る椅子において、前記連結材は、前記座の下面かつ前後方向に延設されるとともに前記座に固定可能な固定部材を有することを特徴とする。
【００１１】
また、本発明の一態様に係る椅子において、前記固定部材は、前後方向に長手をなし上下方向に開口する長孔が形成されており、該長孔に挿入される締結部材により前記座に締結固定されることを特徴とする。
【００１２】
また、本発明の一態様に係る椅子において、前記固定部材は、広幅面が上下方向を向く板状をなし、前記座は、前記固定部材に対して前後方向に摺動可能に設けられた摺動部を備えていることを特徴とする。
【００１３】
また、本発明の一態様に係る椅子において、前記連結材は、調整状態において前記座に対して摺動する摺動面を有することを特徴とする。
【００１４】
また、本発明の一態様に係る椅子において、前記脚部材は、前後方向に離間された一対の脚杆を有し、前記脚杆の少なくとも一方が上下方向に対して前後方向に傾斜するように延設されており、前記一対の脚杆のうち、一方の脚杆に前記第１固定部が設けられ、他方の脚杆に前記第２固定部が設けられていることを特徴とする。
【００１５】
また、本発明の一態様に係る椅子の調整方法は、前述の椅子の座の位置を調整する椅子の調整方法であって、調整状態において、前記第１固定部及び前記第２固定部の所定の位置になるように前記座を上下方向に移動させるとともに、前記連結材に対して前記座を前後方向に相対移動させた後に、前記第１固定部及び前記第２固定部の少なくとも一方において前記連結材により前記座の前後方向の移動を阻止するように座の下面を支持することを特徴とする。
【発明の効果】
【００１６】
本発明によれば、脚体に対する座の支持強度が高く、かつデザイン性が良好な椅子、及び椅子の調整方法を提供することができる。
【図面の簡単な説明】
【００１７】
【図１】図１は、本発明の実施形態に係る椅子の斜視図である。
【図２】図２は、本発明の実施形態に係る椅子の側面図である。
【図３】図３は、本発明の実施形態に係る椅子の要部を示す分解斜視図である。
【図４】図４は、本発明の実施形態に係る椅子の要部を示す分解斜視図である。
【図５】図５は、本発明の実施形態に係る椅子の分解斜視図である。
【図６】図６は、本発明の実施形態に係る椅子が備える前後位置調整機構の概略説明図である。
【図７】図７は、本発明の実施形態に係る椅子が備える前後位置調整機構の分解斜視図である。
【図８】図８は、本発明の実施形態に係る椅子が備える背凭れ本体及び背面突部を背面側から見た斜視図である。
【図９】図９は、本発明の実施形態に係る椅子の調整方法の概略説明図である。
【図１０】図１０は、本発明の実施形態に係る椅子が備える前後位置調整機構の調整方法の概略説明図である。
【図１１】図１１は、本発明の実施形態に係る椅子が備える前後位置調整機構の調整方法の概略説明図である。
【図１２】図１２は、本発明の実施形態に係る椅子において、座の位置及び背凭れ本体の上下位置を調整した後の状態を示す斜視図である。
【図１３】図１３は、本発明の実施形態に係る椅子において、座の位置及び背凭れ本体の上下位置を調整した後の状態を示す側面図である。
【発明を実施するための形態】
【００１８】
以下に、添付図面を参照して、本発明に係る椅子の好適な実施形態について詳細に説明する。なお、本実施形態により、本発明が限定されるものではない。また、図面は模式的なものであり、各要素の寸法の関係、各要素の比率等は、現実のものとは異なる場合があることに留意する必要がある。図面の相互間においても、互いの寸法の関係や比率が異なる部分が含まれている場合がある。また、各図面において、同一構成部分には同一符号が付されている。
【００１９】
（椅子の構成）
まず、本発明の実施形態に係る椅子１の構成について説明する。図１は、本発明の実施形態に係る椅子１の斜視図である。図２は、本発明の実施形態に係る椅子１の側面図である。本発明の実施形態に係る椅子１は、図１、２に示すように、脚体１０と、この脚体１０に座側上下位置調整機構３０（上下位置調整機構）を介して支持される座２０と、脚体１０に支持される背凭れ５０と、を備えている。なお、本実施形態においては、椅子１に正規姿勢で着座した人の正面が向く向きを「前」と呼び、それと逆側の向きを「後」と呼ぶものとする。また、「上」「下」と「左」「右」については、椅子に正規姿勢で着座した人の上方を「上」、それと逆側の向きを「下」と呼び、椅子に正規姿勢で着座した人の左側を「左」、それと逆側の向きを「右」と呼ぶものとする。また、椅子１の左右方向を幅方向と呼ぶこともある。
【００２０】
脚体１０は左右に離間する一対の脚部材１１を備え、一対の脚部材１１の間に架設された前方連結材１２（連結材）及び後方連結材１３の上に座２０が支持されている。一対の脚部材１１はそれぞれ、前後方向に離間する一対の脚杆１４と、一対の脚杆１４の上部を連結する上方連結材１５と、一対の脚杆１４の下部を連結するとともに床面と接する接床部１６とを有している。
【００２１】
一対の脚杆１４は、具体的には前脚１４ａ及び後脚１４ｂからなる。前脚１４ａは上方向に対して後方に傾斜するように延設されており、後脚１４ｂは、上方向に対して前方に傾斜するように延設されている。本実施形態においては、前脚１４ａよりも後脚１４ｂの方が、傾斜角度が大きくなっている。
【００２２】
図３及び図４は、本発明の実施形態に係る椅子１の要部を示す分解斜視図であり、図５は、本発明の実施形態に係る椅子１の分解斜視図である。座側上下位置調整機構３０は、一対の脚部材１１に対して座２０の前部を複数の上下位置に固定する第１固定部３１と、一対の脚部材１１に対して座２０の後部を複数の上下位置に固定する第２固定部とを有している。本実施形態では、座側上下位置調整機構３０は、一対の脚部材１１に対して前方連結材１２を複数の上下位置に固定する第１固定部３１と、一対の脚部材１１に対して後方連結材１３を複数の上下位置に固定する第２固定部３２とを有している。これら第１固定部３１及び第２固定部３２の少なくとも一方は、座２０の前部または座２０の後部を固定する上下位置に応じて、第１固定部３１と第２固定部３２との前後方向における相互間隔を変化させる前後位置調整機構４０を有している。本実施形態では、第１固定部３１が、前後位置調整機構４０を有している。
【００２３】
本実施形態においては、第１固定部３１において前脚１４ａと前方連結材１２とが固定され、第２固定部３２において後脚１４ｂと後方連結材１３とが固定されている。具体的には第１固定部３１は、前脚１４ａに形成された孔１４ａａと、前方連結材１２に形成された穴１２ａとに、ネジ３１ａが螺合することによって前脚１４ａと前方連結材１２とを固定している（図３〜５参照）。また、第２固定部３２も同様に、後脚１４ｂに形成された孔１４ｂａと、後方連結材１３に形成された穴１３ａとに、ネジ３２ａが螺合することによって後脚１４ｂと後方連結材１３とを固定している。
【００２４】
前脚１４ａに形成された孔１４ａａは、前脚１４ａの延在方向に沿うように複数形成されている。後脚１４ｂに形成された孔１４ｂａも、後脚１４ｂの延在方向に沿うように複数形成されている。具体的には、孔１４ａａは、上方向に対して後方向に傾斜する方向に５か所形成され、孔１４ｂａは、上方向に対して前方向に傾斜する方向に５か所形成されている（図３参照）。孔１４ａａ、１４ｂａのそれぞれは、座２０の上下位置（高さ位置）を複数の上下位置（図１に示す椅子では５段階）に調整するために設けられている。このように形成された孔１４ａａ、１４ｂａは、上下位置に応じて孔１４ａａ、１４ｂａの相互間隔が変わり、この位置に固定される前方連結材１２及び後方連結材１３の相互間隔が変化する。
【００２５】
また、前脚１４ａ同士が対向する面には、孔１４ａａに沿うように凹部１４ａｂが形成されており、この凹部１４ａｂに前方連結材１２の側端部１２ｂが配設されている。前方連結材１２は、座２０の位置を調整する際には、この凹部１４ａｂの範囲内を摺動する。
【００２６】
本実施形態において、後方連結材１３は、座２０の下面に固定されている。一方、前方連結材１２は、座２０の下面に取り付けられている。また、前方連結材１２の上部には、調整状態において座２０が前後方向に移動する際に摺動する摺動面１２ｃが形成されており、固定状態においては、この摺動面１２ｃが座２０を支持している。ここで、調整状態とは、座２０の上下位置及び前後位置を調整する状態のことを意味し、固定状態とは座２０の位置を調整後に座２０の位置を固定した状態のことを意味している。
【００２７】
図６は、本発明の実施形態に係る椅子１が備える前後位置調整機構４０の概略説明図である。図７は、本発明の実施形態に係る椅子１が備える前後位置調整機構４０の分解斜視図である。前後位置調整機構４０は、調整状態においては座２０の前後方向の相対移動を許容する一方、固定状態においては前後方向の相対移動を阻止するように座２０の下面を支持する前方連結材１２を有している。
【００２８】
本実施形態では、前方連結材１２は、座２０の下面かつ後方向に延設されるとともに座２０に固定可能な固定部材４１を有する。固定部材４１は、Ｌ字状の形状を有し、Ｌ字のうちの一辺がネジ４１ａによって固定されている（図６、７参照）。また、固定部材４１のＬ字のうち他辺は、前後方向に長手をなし上下方向に開口する長孔４２が形成されている。固定部材４１は、該長孔４２に挿入される締結部材４３により座２０に締結固定される。すなわち、締結部材４３は、長孔４２に対して上下方向に座２０の孔２０ａに挿入されることで座２０に固定部材４１を締結固定する（図１０参照）。また、固定部材４１は、広幅面が上下方向を向く板状をなしている。
【００２９】
一対の接床部１６は、床面に接するように前後方向に延びている。この一対の接床部１６の内側対向面には、簀子１７がネジ１７ａによって固定されており、例えば簀子１７上に荷物などを載置できるようになっている。接床部１６は、椅子１を移動させるためのキャスター１６ａを有している。このキャスター１６ａは、図示しない弾性部材により床面側に押圧されており、使用者が椅子１に着座したときには弾性部材が縮むことでキャスター１６ａが座２０側に移動し、接床部１６の底面１６ｂが床に接する（図２参照）。これにより、使用者が着座したときに椅子１が安定する。
【００３０】
座２０は、使用者が座るための板状の部材であり、平面視において略矩形に形成されている。座２０は前方連結材１２及び後方連結材１３に支持されている。この座２０は下面において、前述したように後方連結材１３に固定されるとともに、前後位置調整機構４０を介して前方連結材１２に取り付けられている。椅子１においては、前述したように５段階に座２０の上下位置を調整可能である。なお、図１においては、座２０の上下位置が最も下側とされた状態が示されている。座２０の位置を上側に移動させると、座２０は前方に移動する。すなわち、椅子１においては、例えば児童の成長に合わせて座２０の上下位置を調整すると、座２０の前後位置も調整されるようになっている。
【００３１】
座２０は、座２０の裏面側に、固定部材４１に対して前後方向に摺動可能に設けられた摺動部２１を備えている（図６参照）。摺動部２１は、前後方向に延在する一対の摺動部材２２を有し、これら一対の摺動部材２２の対向面に前後方向に沿って溝部２３が形成されている。この溝部２３に固定部材４１が嵌め込まれており、固定部材４１が溝部２３に沿って前後方向に摺動可能とされている。
【００３２】
背凭れ５０は、一対の背凭れ支持部材５１と、背凭れ本体５２と、背側上下位置調整機構６０（上下位置調整機構）と、連結部材７０とを有している。一対の背凭れ支持部材５１は、幅方向に離間するとともに脚体１０の後端から上方向に延びるように延設されている。本実施形態では、これら一対の背凭れ支持部材５１は、上下方向に対してわずかに後方に傾斜するように脚体１０から延設されている。また、一対の背凭れ支持部材５１は、連結部材７０によって対向方向に連結されている。
【００３３】
一対の背凭れ支持部材５１はそれぞれ、後述する摺動凹部６２の上方から、上下方向に対して後方に傾斜する傾斜部５３を有している（図２参照）。すなわち、背凭れ支持部材５１は、脚体１０から延びる方向よりもさらに後方側に傾斜した傾斜部５３を有している。このように傾斜部５３に連結部材７０を設けることにより、背凭れ本体５２の上下位置を上方に設定しても、背凭れ本体５２と連結部材７０との間には隙間が形成されるようになっている。
【００３４】
連結部材７０は、一対の背凭れ支持部材５１を連結して椅子１の強度を高めるとともに、椅子１を運ぶ際の把持部となる機能を有する。この連結部材７０は、広幅面が傾斜部５３の傾斜方向に平行をなすとともに、幅方向略中央部が該傾斜方向に狭幅となるように形成されている（図３参照）。連結部材７０は、端部に穴部７１が形成されるとともに突起部７２を有している。傾斜部５３には、孔５３ａと突起部７２が嵌め込まれる凹部５３ｂが形成されている。そして、ネジ７３が傾斜部５３の孔５３ａ及び連結部材７０の穴部７１に螺合されるとともに突起部７２が傾斜部５３に形成された凹部５３ｂに嵌め込まれることによって、連結部材７０が一対の背凭れ支持部材５１に取り付けられている。
【００３５】
背凭れ本体５２は、使用者が背中をもたせかけるための板状部材であり、正面から見て上端部が湾曲している。この背凭れ本体５２は、背側上下位置調整機構６０を介して一対の背凭れ支持部材５１の前面に接するように架設されている。
【００３６】
図８は、本発明の実施形態に係る椅子１が備える背凭れ本体５２及び背面突部６１を背面側から見た斜視図である。背側上下位置調整機構６０は、一対の背凭れ支持部材５１間に設けられ、背凭れ本体５２の上下位置を調整するものである。背側上下位置調整機構６０は、背凭れ本体５２の背面に突設され、幅方向の両端部が一対の背凭れ支持部材５１における対向内側面と対向する背面突部６１と、背面突部６１の両側端面と一対の背凭れ支持部材５１の対向内側面とのうち一方に形成された摺動凹部と、背面突部６１の両側端面と一対の背凭れ支持部材５１の対向内側面とのうち他方に形成され、摺動凹部に対して摺動可能に嵌合する摺動突部と、摺動凹部を摺動突部に固定するための固定手段６４とを有している。
【００３７】
本実施形態において、背面突部６１は、背凭れ本体５２の下部に設けられ、背凭れ支持部材５１同士の対向内側面に摺動凹部６２が形成されている（図２、３参照）。この摺動凹部６２は背凭れ支持部材５１の延在方向に延びている。また、背面突部６１には、両側端面に摺動突部６３が形成されている。固定手段６４は、例えば、一対の背凭れ支持部材５１の上下方向に形成された複数のネジ孔５１ａと、摺動突部６３に形成されたネジ孔６３ａと、これらネジ孔５１ａ、６３ａに螺合するネジ６４ａとから構成される。椅子１では、上下方向にネジ孔５１ａが３箇所形成されており、３段階に背凭れ本体５２の上下位置を調整することが可能となっている。
【００３８】
（椅子の組立方法）
次に、椅子１の組み立て方法を説明する。なお、背凭れ本体５２及び背面突部６１は、予め取り付けられているものとして説明する。まず、脚部材１１に、簀子１７、前方連結材１２、背凭れ本体５２、及び連結部材７０をそれぞれ、ネジ１７ａ、３１ａ、６４ａ、７３によって取り付ける（図３参照）。ここで、前方連結材１２は座２０の位置が所望の上下位置となるように前脚１４ａに形成された複数の孔１４ａａから適切な孔１４ａａを選択する。
【００３９】
次いで、脚部材１１が取り付けられた各部材の反対側に、ネジ１７ａ、３１ａ、６４ａ、７３を用いて他の脚部材１１を同様に取り付ける（図４参照）。次に、前方連結材１２の上部に設けられた摺動面１２ｃ上に座２０の下面が位置するように座２０を配設する（図５参照）。このとき、座２０の下面に設けられた摺動部２１（一対の摺動部材２２）の溝部２３に固定部材４１の両側端部が嵌るように座２０を取り付ける。そして、後方連結材１３と脚部材１１とをネジ３２ａによって固定するとともに固定部材４１と座２０とを締結部材４３によって固定する。このようにして、椅子１が組み立てられる。
【００４０】
（椅子の調整方法）
次いで、椅子１の調整方法について説明する。図９は、本発明の実施形態に係る椅子１の調整方法の概略説明図である。図１０、１１は、本発明の実施形態に係る椅子１が備える前後位置調整機構４０の調整方法の概略説明図である。図１２、１３は、本発明の実施形態に係る椅子１において、座２０の位置及び背凭れ本体５２の上下位置を調整した後の状態を示す斜視図及び側面図である。
【００４１】
まず、座２０の上下位置及び前後位置を調整する方法を説明する。前述のようにして椅子１を組み立てた状態から、ネジ３１ａ、３２ａと締結部材４３を取り外して（図９参照）、複数の孔１４ａａ、１４ｂａから選択して座２０が所望の上下位置となる孔１４ａａ、１４ｂａに対応するように、前方連結材１２及び後方連結材１３の上下位置を合わせる。なお、図１２及び図１３では、最も上方に形成された孔１４ａａ、１４ｂａに、前方連結材１２及び後方連結材１３の固定位置を合わせている。
【００４２】
このとき、座２０を上方向に持ち上げると、前方連結材１２の側端部１２ｂが脚体１０の凹部１４ａｂ内を摺動するようになっており、前方連結材１２の移動が溝部１４ａｂ内に規制される。ここで、固定部材４１が座２０の裏面に設けられた摺動部２１の溝部２３を摺動すると同時に、座２０の下面が前方連結材１２の摺動面１２ｃ上を摺動することによって、座２０と前方連結材１２との相対的な前後方向の位置関係が変化し、座２０の前後方向の位置が調整される（図１０、１１参照）。座２０の位置を調整後、ネジ３１ａ、３２ａと締結部材４３を再度取り付けて、各部材を固定する。
【００４３】
次いで、背凭れ本体５２の上下位置を調整する方法を説明する。ネジ６４ａを取り外した状態で、背凭れ本体５２を上側に持ち上げる。図１２及び図１３の椅子１では、最も上方に背凭れ本体５２を配置した場合を示している。このとき、摺動突部６３が摺動凹部６２内を摺動するように規制されているので、容易に背凭れ本体５２の上下位置を移動させ所望の位置に合わせることができる。位置を調整後、ネジ６４ａを再度取り付けて、背凭れ本体５２を背凭れ支持部材５１に固定する。
以上のようにして、椅子１において、図１２及び図１３に示すように、座２０の上下位置及び前後位置、背凭れ本体５２の上下位置を調整できる。
【００４４】
以上のような構成とされた本実施形態に係る椅子１において、第１固定部３１は、第１固定部３１と第２固定部３２との前後方向における相互間隔を変化させる前後位置調整機構４０を有し、この前後位置調整機構４０は、調整状態においては座２０の前後方向の相対移動を許容する一方、固定状態においては前後方向の相対移動を阻止するように座２０の下面を支持する前方連結材１２を有している。この構成では、固定状態において座２０の前後方向の相対移動を阻止する前方連結材１２は、座２０の下面を支持するように構成されており、座２０の側面等の視認し易い位置に配設されておらず、椅子１のデザイン性が良好となる。
【００４５】
さらに本実施形態では、前方連結材１２は、座２０の下面に配設される固定部材４１を有しているので、固定部材４１によって前方連結材１２と座２０とを容易に固定できる。また、この固定部材４１は、前後方向に長手をなし上下方向に開口する長孔４２が形成され、この長孔４２に挿入される締結部材４３により座２０に締結固定される。したがって、側面視において前後位置調整機構のネジ孔が見えない構成とされているため、デザイン性が良い。
【００４６】
また、椅子１では、第１固定部３１及び第２固定部３２において、前方連結材１２及び後方連結材１３と、脚部材１１とを直接固定するので支持強度が高く、使用者が着座したときに上下方向の荷重を十分に支えることができる。
【００４７】
また、座２０の裏面には摺動部２１が設けられ、座２０の位置を調整する際に、座２０を摺動部２１に摺動させながら前後位置を調整することができるので、より滑らかに座２０を前後方向に相対移動させることができる。また、この場合、調整状態においては、座２０が摺動部２１に支えられるので、座２０が落下することを防止し、より安全に座２０の位置を調整でき、作業性に優れる。また、前方連結材１２には、調整状態において座２０に対して摺動する摺動面１２ｃを有しているので、座２０を前後方向に容易に相対移動させることができる。
【００４８】
また、一対の背凭れ支持部材５１は、摺動凹部６２の上方から、上下方向に対して後方に傾斜する傾斜部５３を有し、これら傾斜部５３同士の間に連結部材７０が配置されている。この構成では、背凭れ本体５２よりも後方に連結部材７０が配置されるため、連結部材７０を把持手として椅子１を容易に運ぶことができる。また、背凭れ本体５２の位置を上方に配置した場合でも、背凭れ本体５２と連結部材７０との間には、隙間が設けられるため、連結部材７０を把持することができる。
【００４９】
本実施形態では、背凭れ支持部材５１に形成された摺動凹部６２は脚体１０側から背凭れ支持部材５１の延在方向に延びており、傾斜部５３は摺動凹部６２の延在方向よりもさらに後方側に傾斜した方向に延びている。この傾斜部５３に連結部材７０が固定されているので、背凭れ本体５２と連結部材７０との間には確実に隙間を設けることができ、連結部材７０を把持することができる。
【００５０】
また、背凭れ支持部材５１には摺動凹部６２が形成され、背面突部６１には摺動突部６３が形成されているので、背凭れ本体５２の上下位置を調整する際に、摺動突部６３を摺動凹部６２内に摺動させながら背凭れ本体５２を移動させることができるので、容易に背凭れ本体５２の位置を調整可能となる。また、背面突部６１は、背凭れ本体５２の裏面の下方側に配設されているので、背凭れ本体５２の上方への移動幅をより大きくすることができるとともに、背凭れ本体５２と連結部材７０との隙間もより広げることができる。これにより使用者は、より背凭れ本体５２の上下位置を上方にでき、かつ連結部材７０をより把持しやすくなる。
【００５１】
また、連結部材７０は、広幅面が傾斜部５３の傾斜方向に平行をなすとともに、幅方向略中央部が該傾斜方向に狭幅となるように形成されているので、使用者が椅子の上方から見たときに把持部となる位置を容易に確認でき、連結部材７０を把持しやすくなる。
また、背凭れ本体５２は、背凭れ支持部材５１の前面に面で支えられているため、支持強度が高い。
【００５２】
なお、上記の実施形態により本発明が限定されるものではない。上述した各構成要素を適宜組み合わせて構成したものも本発明に含まれる。また、さらなる効果や変形例は、当業者によって容易に導き出すことができる。よって、本発明のより広範な態様は、上記の実施形態に限定されるものではなく、様々な変更が可能である。
【００５３】
例えば上記実施形態では、後方連結材を座の下面に固定し、前後位置調整機構を介在させて前方連結材を座の下面に取り付ける場合について説明したが、前方連結材を座の下面に固定し、前後位置調整機構を介在させて後方連結材を座の下面に取り付ける構成としても良い。また、上記実施形態では、第２固定部において座の下面の後方連結材を固定する場合について説明したが、後方連結材を用いることなく座を直接第２固定部に固定する構成としても良い。
【符号の説明】
【００５４】
１  椅子
１０  脚体
１１  脚部材
１２  前方連結材（連結材）
１２ａ  穴
１２ｂ  側端部
１２ｃ  摺動面
１３  後方連結材
１３ａ  穴
１４  一対の脚杆
１４ａ  前脚
１４ａａ  孔
１４ａｂ  凹部
１４ｂ  後脚
１４ｂａ  孔
１５  上方連結材
１６  接床部
１６ａ  キャスター
１６ｂ  底面
１７  簀子
２０  座
２１  摺動部
２２  摺動部材
２３  溝部
３０  座側上下位置調整機構（上下位置調整機構）
３１  第１固定部
３１ａ  ネジ
３２  第２固定部
３２ａ  ネジ
４０  前後位置調整機構
４１  固定部材
４１ａ  ネジ
４２  長孔
４３  締結部材
５０  背凭れ
５１  背凭れ支持部材
５１ａ  ネジ孔
５２  背凭れ本体
５３  傾斜部
５３ａ  孔  
５３ｂ  凹部
６０  背側上下位置調整機構（上下位置調整機構）
６１  背面突部
６２  摺動凹部
６３  摺動突部
６４  固定手段
６４ａ  ネジ
７０  連結部材
７１  穴部
７２  突起部
７３  ネジ
【図１】
0006491049.tif 000002
【図２】
0006491049.tif 000003
【図３】
0006491049.tif 000004
【図４】
0006491049.tif 000005
【図５】
0006491049.tif 000006
【図６】
0006491049.tif 000007
【図７】
0006491049.tif 000008
【図８】
0006491049.tif 000009
【図９】
0006491049.tif 000010
【図１０】
0006491049.tif 000011
【図１１】
0006491049.tif 000012
【図１２】
0006491049.tif 000013
【図１３】
0006491049.tif 000014